(57)【要約】      （修正有）【課題】独特の意匠効果を発揮するトーションレース地の柄と、編組や織物等の特有の外観と機能を組み合わせ、衣服などに好適な装飾紐を提供する。【解決手段】連結糸を用いるなどして袋状の網目柄を有したトーションレース地３を編組する際に、誘導糸をトーションレース地３内に挿通しておき、その誘導糸入りトーションレース地３を所定長切断後に誘導糸の切断端と紐状またはテープ状の芯材４の端部を結束し、誘導糸の他端を引っ張りこむことによって、芯材４を袋状のトーションレース内に挿入され、該芯材の外観の一部がトーションレース地の網目から目視可能な装飾紐とする。 【選択図】図１
0003169630.tif 000002
【実用新案登録請求の範囲】
【請求項１】
袋状をなしたトーションレース地内に芯材が挿入され、該芯材の外観の一部がトーションレース地の網目から目視可能であることを特徴とする装飾紐。
【請求項２】
トーションレース地内の芯材がトーションレース地の色相と異なる色相の紐状またはテープ状であることを特徴とする請求項１記載の装飾紐。
【請求項３】
前記紐状の芯材が繊維の集合体であることを特徴とする請求項１、または２記載の装飾紐。
【請求項４】
前記テープ状の芯材が編織物であることを特徴とする請求項１または２記載の装飾紐。
【請求項５】
前記芯材に少なくとも反射フィルムスリットが含まれていることを特徴とする請求項１または２記載の装飾紐。
【請求項６】
請求項１から５いずれか１項記載装飾紐の両端がセルチップより拘束されていることを特徴とする装飾紐。
【考案の詳細な説明】
【技術分野】
【０００１】
本考案は衣類などの装飾に用いる装飾紐に関するもので、さらに詳しくはトーションレース地に新たな外観と機能を付加させた紐状またはテープ状の装飾紐に関するものである。
【背景技術】
【０００２】
トーションレース地は、環状に配置したボビンから引き出された糸が交互に入れ替えながら環状に走らせて、糸を絡ませつつ筬打ちして編組した帯状のレース地であり、糸の種類、あるいは各糸の交錯の仕方を変えることにより様々な模様を形成させることが出来、衣服やカーテンあるいはテーブルクロスなどの縁取りなど装飾用として多用されている。
【０００３】
また、主なトーションレース地は筒状の一部につなぎ糸を配置して筒状に編み揚がった後、つなぎ糸を解いて面状として使われる事が多く、筒状のまま使用するのは、特許文献１などで提案されているようなレッグ類ぐらいしか無く、トーションレース地の独特の意匠性を活かした装飾紐類等への展開はなされていなかった。
【０００４】
一方、装飾紐のデザイン効果を高める方法として、紐の外周面に織物などの飾層を接着させる方法が特許文献２で提案されているが、長尺の製品になると非常に手間が掛かかる上に見栄え良く接着させるには熟練を要し、製造コストが高くなるのが問題である。
【０００５】
その様なことから、トーションレース地の独特の意匠性を活かし、しかも低コストな装飾紐の開発が業界から要望されていた。
【先行技術文献】
【特許文献】
【０００６】
【特許文献１】特開２００６-１４４１８８号公報
【特許文献２】特開平１１−２８６８５８号公報
【考案の概要】
【考案が解決しようとする課題】
【０００７】
本考案の目的は、上述したような従来の問題点を解決することにあり、すなわち、独特の意匠効果を発揮するトーションレース地の柄と、編物や織物等の外観、機能を組み合わせ、衣服などに好適な装飾紐を提供することにある。
【課題を解決するための手段】
【０００８】
本考案の装飾紐は上記課題を解決するために、袋状をなしたトーションレース地内に芯材が挿入され、該芯材の外観の一部がトーションレース地網目から目視可能であることを特徴とするものである。
【０００９】
また、トーションレース地内の芯材がトーションレース地の色相と異なる色相の紐状、またはテープ状の芯材であることを特徴とするものである。
【００１０】
また、前記紐状の芯材が繊維の集合体であることを特徴とするものである。
【００１１】
また、前記テープ状の芯材がテープ状の編織物であることを特徴とするものである。
【００１２】
さらに、前記芯材に少なくとも反射フィルムスリットが含まれていることを特徴とするものである。
【００１３】
また、本考案は上記した装飾紐のいずれか一つの両端がセルチップにより拘束されていることを特徴とするものである。
【考案の効果】
【００１４】
本発明の装飾紐は袋状をなしたトーションレース地内に芯材が挿入され、該芯材の外観の一部がトーションレース地の網目から目視可能であるから、トーションレース地柄と挿入された芯材の形態、色柄、反射光などの組み合わせにより、これまでにない外観を呈した装飾紐が提供できる。
【００１５】
また、芯材の剛性により、トーションレース地に張り腰を持たせることができ、装飾品として幅広い用途への展開が可能となる。
【図面の簡単な説明】
【００１６】
【図１】本発明装飾紐の一実施例の斜視図
【図２】本発明装飾紐の一実施例の斜視図
【図３】本発明の製造方法を説明するためのステップ図
【考案を実施するための形態】
【００１７】
以下図面を参考に、本考案を詳細に説明する。図１は本考案装飾紐の一実施例を示す斜視図で、１は装飾紐、３は袋状をなしたトーションレース地、４は芯材である。
【００１８】
トーションレース地３は編組糸で柄組織を形成した長尺の袋状をなしており、その編組糸としては通常トーションレース地に用いられている天然繊維や合成繊維、あるいはそれらの混紡からなる繊維が任意に使用出来る。
【００１９】
また、それらの糸が先染め糸であれば組織柄と色柄の組み合わせにより色彩面でも多様な製品が得られる。
【００２０】
通常、トーションレース地はテープ状の製品が多いが、本考案の装飾紐１に用いるトーションレース地３は長尺の袋状をなしている。
【００２１】
袋状に形成させるのに、編組糸を右回り糸と左回り糸とに分けて柄を形成させながら編組することにより円周方向で繋ぎ目がないような袋状形態であっても良いし、円周方向の一か所で連結糸を用いて連結させる方法であっても良く、後者の方が複雑な編組柄を得ることが出来る。
【００２２】
編組柄は、トーションレース地３の網目から芯材４の色相が目視出来る空隙部を部分的に設けることが好ましく、その空隙部の好ましい大きさとしては、円形に近いものであればその直径が１〜１０ｍｍ、矩形に近い形状のものであればその長辺の長さが２〜１０ｍｍである。
【００２３】
そして、芯材４の色相とトーションレース地３の色相を違えることにより、トーションレース地３の空隙部から芯材４の色相が見えることによりトーションレース地３の柄を浮かび上がらせることが出来る。
【００２４】
図１における装飾紐１の芯材４は丸断面の円柱形状の例を示したが、四角系や三角形、あるいは楕円形などの他の断面形状であっても構わない。
【００２５】
芯材４の材料としては天然繊維や合成繊維であって、それらの糸状体の引き揃え、ヨリ加工、組紐、あるいは紐状に編織加工された繊維の集合体であり、中でもヨリ加工や組紐であれば屈曲させても部分的に折れ曲がらずに一定の曲率で曲がるので好ましいものである。
【００２６】
芯材４の太さとしては、丸断面であれば直径で４〜２０ｍｍ程度、より好ましくは５〜１０ｍｍである。  
【００２７】
なお、その芯材４に被さる袋状のトーションレース地３の円周方向の長さは、それ自体伸縮性を有しているので芯材４の外周長さと同程度の長さであれば両者を密着させることが出来る。
【００２８】
また、芯材４として、帯状またはワイヤー状の金属やプラスチック材料も含まれ、さらにはそれらの材料が形状記憶材料であればヘアバンドのように所定の形状を保持した装飾品として活かすことが出来る。
【００２９】
図２は、袋状をなしたトーションレース地３内にテープ状の芯材５からなる別の実施例である装飾紐２の斜視図である。
図２では芯材５としてテープ状の織物を示したが、テープ状の編物や不織布なども含まれ、前記と同様に芯材５の色相とトーションレース地３の色相を違えることにより、トーションレース地３の空隙部から芯材４の色相が見えることによりトーションレース地３の柄を浮かび上がらせることが出来る。
【００３０】
特に、テープ状編織をジャカード柄などにより多彩な模様を設けることによって、トーションレース地３越しにカラフルな模様を呈することが出来るものである。
また、芯材５として反射フィルムスリットを用いることが出来る。
【００３１】
反射フィルムスリットは、フィルムの片面または両面に真空蒸着、スパッタリングにより金属膜層を設け、その上に着色または無着色樹脂層を設けたフィルムを所定の幅にスリットされたもので、芯材５として用いることにより、外表面のトーションレース地３の網目から反射フィルムにより玉虫調の反射光が見え、これまでにない外観の装飾品が得られるものである。
【００３２】
反射フィルムスリットが薄くて腰張りがない場合は、反対面に他の布帛テープなどを貼り付ける方法、あるいは反射フィルムスリットを織物や編物内に挿入させたテープとして用いることも出来る。
【００３３】
テープ状芯材５の幅としては、５〜５０ｍｍ程度で、被せる袋状のトーションレース地３の円周方向の長さは、トーションレース地３自身伸縮性を持っているので芯材５の外周長さと同程度であれば両者を密着させることが出来る。
【００３４】
芯材４または５はトーションレース地３内に挿入されているだけであるからずれ動く懸念があるが、両者間を柔軟性と透明性のある樹脂で接着させておくことにより防止出来るものである。
【００３５】
接着方法としては、トーションレース地３の編組糸に低融点ポリマー糸を引き揃えて編組し、芯材４、または５を挿入後に低融点ポリマー糸の融点以上の温度で加熱することにより接着させることが出来る。
また、製品表面から柔軟性と透明性を有した樹脂接着剤を塗布し、両者を接着させる方法であって構わない。
【００３６】
芯材４または５とトーションレース地３を固定する手段として、製品長さに合わせて切断する位置に熱収縮性フィルムからなるセルチップを被せた後、加熱収縮させて芯材４または５とトーションレース地３を拘束させることで固定でき、装飾性が優れた綴じ紐や靴紐として利用出来る。
【００３７】
図３は、本発明の製造方法を説明するためのステップ図で、まず、通常のトーションレース機に編組糸を配して所定のパターンで袋状に編組すると同時に、編組された袋状のトーションレース地３内に誘導糸６を単独で挿入させて一緒に引き取りローラで引き取り、図３（イ）に示すように誘導糸６が挿入されたトーションレース地３内を得る。
【００３８】
このとき、トーションレース地３の長さは、出来るだけ長い方が好ましく、仕掛けた編組糸の長さで編組できる長さであり、誘導糸６は、糸種、太さについては特に限定されず、引っ張り強さが２Ｎ（ニュートン）以上あれば良い。
【００３９】
誘導糸６をトーションレース地３内に挿入させる方法としては、円弧状に並んだ編組糸ボビンの軌道の内側に誘導糸６を巻いたボビンを設置し、編組糸の編組運動の邪魔にならない位置から上方の中空円筒状のガイドブッシュに導くことによりトーションレース地３内に挿入させることが出来る。
【００４０】
実際面において、誘導糸６が挿入された状態で、所定の長さで切断した場合、誘導糸６も同じ長さで切断されるが、トーションレース地３に挿入する前に誘導糸６を部分的に折り畳んで軽く結ぶか、接着するなどしておいて、誘導糸の切断端を軽く引っ張ることにより伸長してトーションレース地３の切断端から引っ張り出した状態にすることが出来る。
【００４１】
次いで、図３（ロ）に示すように、袋状のトーションレース地３の切断端から出ている誘導糸６の切断端で袋状のトーションレース地３内に挿入させる芯材４の先端を強固に結束する。
【００４２】
次いで。図３（ハ）に示すように芯材４を結束した切断端とは反対側の誘導糸６の切断端を引っ張りこむことによって、芯材４を袋状のトーションレース地３に挿入させることが出来る。
【００４３】
上記製造方法により比較的柔軟であっても容易に挿入させることが出来、長尺の装飾紐を得ることが出来る。
【実施例】
【００４４】
表１示す条件で袋状の中に誘導糸が挿入されたトーションレース地、および芯材を製作し、芯材の先端を一方の誘導糸端で結束して、結束した側のトーションレース地の端保持した状態で、他方の誘導糸端を引っ張って芯材を袋状のトーションレース地内に挿入させ、装飾紐を製作した。
【００４５】
得られた、装飾紐は写真１で示すように芯材の背景色によりトーションレース地柄が浮かび上がり、意匠効果の高い外観を呈していた。
【００４６】
【表１】
0003169630.tif 000003
【産業上の利用可能性】
【００４７】
本考案の装飾紐は、手芸用、包装用（ラッピング、手提げ袋の提げ手など）
アクセサリ用（ヘアバンドなど）、靴紐用など各種装飾用として好適に利用することが出来る。
【符号の説明】
【００４８】
１，２：装飾紐
３：トーションレース地
４、５：芯材
６：誘導糸
【図１】
0003169630.tif 000004
【図２】
0003169630.tif 000005
【図３】
0003169630.tif 000006